(57)【要約】【課題】本発明は、昇降動作を円滑に行うことができ、かつ、省スペース化が図れるオストメイト用汚物流しユニットを提供する。【解決手段】前面に汚物流し部を設けたパネルプレートと、少なくとも一部が可撓性を有し、両端部を前記汚物流し部と外部排出口とに接続可能な排水管と、前記パネルプレートを昇降させる昇降手段と、前記パネルプレートの昇降をガイドするガイド手段と、を備え、前記外部排出口は、前記汚物流し部の幅方向の中心軸に対してオフセットした位置に設けられ、前記昇降手段は、前記汚物流し部の幅方向の中心軸に対して前記外部排出口とは逆の方向にオフセットした位置に設けられていることを特徴とするオストメイト用汚物流しユニットが提供される。【選択図】図１
2008111230.tif 000002
【特許請求の範囲】
【請求項１】
前面に汚物流し部を設けたパネルプレートと、
少なくとも一部が可撓性を有し、一端が前記汚物流し部に接続され他端が外部排出口に接続される排水管と、
前記パネルプレートを昇降させる昇降手段と、
前記パネルプレートの昇降をガイドするガイド手段と、
を備え、
前記外部排出口は、前記汚物流し部の幅方向の中心軸に対してオフセットした位置に設けられ、
前記昇降手段は、前記汚物流し部の幅方向の中心軸に対して前記外部排出口とは逆の方向にオフセットした位置に設けられていることを特徴とするオストメイト用汚物流しユニット。
【請求項２】
前記昇降手段は、前記汚物流し部の幅方向の中心軸の近傍で、かつ、前記パネルプレートの昇降時に前記排水管と干渉しない位置に設けられていることを特徴とする請求項１記載のオストメイト用汚物流しユニット。
【請求項３】
前記ガイド手段は、前記昇降手段の中心軸に対して対称で、かつ、前記パネルプレートの昇降時に前記排水管と干渉しない位置に設けられていることを特徴とする請求項１または２に記載のオストメイト用汚物流しユニット。
【請求項４】
前記汚物流し部に接続され洗浄水を供給する洗浄管と、前記洗浄管への前記洗浄水の供給を制御するフラッシュバルブと、が可撓性を有するホースで接続されていることを特徴とする請求項１〜３のいずれか１つに記載のオストメイト用汚物流しユニット。
【請求項５】
前記昇降手段には、水圧シリンダが設けられていることを特徴とする請求項１〜４のいずれか１つに記載のオストメイト用汚物流しユニット。
【発明の詳細な説明】
【技術分野】
【０００１】
本発明は、人工肛門や人工膀胱などの保持者であるオストメイトと呼ばれる人々のための汚物流しユニットに関する。
【背景技術】
【０００２】
人工肛門や人工膀胱などの保持者である「オストメイト」と呼ばれる人々は、身体の腹部に排泄物（以下、汚物という）を溜めておくための袋、いわゆるパウチを装着しており、時折、トイレにおいて溜まった汚物を廃棄したり、パウチの内面や取出し口に付着した汚物を洗い流すなどの作業を行う必要がある。
【０００３】
ここで、このパウチを装着する位置や高さには個人差があり、パウチの装着高さと便器などの高さが同程度でないと前述の作業がしにくくなる。そのため、パウチの装着高さに応じてシンクを昇降させ、汚物を処理する技術が提案されている（特許文献１を参照）。
【０００４】
しかしながら、特許文献１に開示されている技術では、処理装置の幅方向の端面付近に昇降装置が設けられている。そのため、昇降動作時に大きなモーメントが発生し、処理装置上面が傾いたり、いわゆる噛み込みなどを起こして円滑な昇降動作が行えないおそれがある。この場合、処理装置の両端面付近に昇降装置をそれぞれ設けて同時駆動をさせるようにすればこの問題を解決することができる。しかし、その場合は、処理装置の複雑化や大型化を招くという新たな問題を生ずることになる。
【特許文献１】特開２００３−５６０１８号公報
【発明の開示】
【発明が解決しようとする課題】
【０００５】
本発明は、昇降動作を円滑に行うことができ、かつ、省スペース化が図れるオストメイト用汚物流しユニットを提供する。
【課題を解決するための手段】
【０００６】
本発明の一態様によれば、前面に汚物流し部を設けたパネルプレートと、少なくとも一部が可撓性を有し、両端部を前記汚物流し部と外部排出口とに接続可能な排水管と、前記パネルプレートを昇降させる昇降手段と、前記パネルプレートの昇降をガイドするガイド手段と、を備え、前記外部排出口は、前記汚物流し部の幅方向の中心軸に対してオフセットした位置に設けられ、前記昇降手段は、前記汚物流し部の幅方向の中心軸に対して前記外部排出口とは逆の方向にオフセットした位置に設けられていることを特徴とするオストメイト用汚物流しユニットが提供される。
【発明の効果】
【０００７】
本発明によれば、昇降動作を円滑に行うことができ、かつ、省スペース化が図れるオストメイト用汚物流しユニットが提供される。
【発明を実施するための最良の形態】
【０００８】
以下、図面を参照しつつ、本発明の実施の形態について説明をする。  
図１は、本発明の実施の形態に係るオストメイト用汚物流しユニットの背面側を説明するための模式図である。  
図１に示すように、オストメイト用汚物流しユニット１の装置本体２００の内部には、昇降手段２４５、フラッシュバルブ２５０、電気温水器２７０、排水管４００、ホース１１２ａなどが設けられている。
【０００９】
図２及び図３は、本発明の実施の形態に係るオストメイト用汚物流しユニットの正面側を説明するための模式斜視図である。  
また、図４は、このオストメイト用汚物流しユニットを側面からみた模式図である。
【００１０】
これらの図に示すように、パネルプレート１００の前面には、汚物流し部１１０、温度・流量調整用レバー１３１、シャワー水栓１４０、棚１４１、水石けん用タンク１５０、洗浄ボタン２１１、トイレットペーパーホルダ２１２などが設けられている。また、正面の左上方には、上昇操作スイッチ２６０、下降操作スイッチ２６１が設けられている。
【００１１】
略矩形形状のパネルプレート１００は硬質樹脂などから成り、その前面には陶製の汚物流し部１１０が設けられている。また、パネルプレート１００の前面であって、汚物流し部１１０の直上には棚１４１が設けられている。棚１４１には、汚物流し部１１０に洗浄水を流したりパウチを洗浄したりするためのシャワー水栓１４０と、温度・流量調整用レバー１３１と、半固定鏡１５１とが設けられている。棚１４１の左側であって、汚物流し部１１０の直上には水石けん用タンク１５０が設けられている。パネルプレート１００の右側上方にはフラッシュバルブ２５０（図１参照）を作動させるための洗浄ボタン２１１が設けられ、その下方にはトイレットペーパーホルダ２１２が設けられている。
【００１２】
また、半固定鏡１５１の鏡の角度は可変可能となっている。尚、鏡を凸面鏡とすれば、映し出される範囲が大きくなるので鏡も小型ですみ、また、オストメイトの目の高さ、ストーマ位置に関係無く所望の視点からストーマ及び近傍を見ることができるので、洗浄作業が更に行い易くなる。
【００１３】
略クランク形状の洗浄管１１２の一端は、汚物流し部１１０の上部側面に設けられた給水口１１０ａに接続されている。洗浄管１１２の他端はパネルプレート１００を貫通して装置本体２００の内部で、可撓性を有するホース１１２ａ（図１参照）によりフラッシュバルブ２５０（図１参照）と接続されている。フラッシュバルブ２５０（図１参照）が作動すると、洗浄管１１２を介して汚物流し部１１０に洗浄水が供給される。供給された洗浄水は、汚物流し部１１０の内面の上部全周に設けられたリム部の穴（図示せず）から汚物流し部１１０の内側面に流出して汚物が洗い流されるようになっている。
【００１４】
そして、これらパネルプレート１００の前面に設けられたものとパネルプレート１００とが一体的に昇降可能となっている。図２は、パネルプレート１００が上昇端にある場合を示し、図３及び図４は、パネルプレート１００が下降端にある場合を示している。
【００１５】
汚物流し部１１０は、汚物の洗浄がしやすいように上面が大きく開口され、リップ部１１１が設けられている。リップ部１１１は、オストメイトがこのリップ部１１１に腹部を押し当てて汚物処理を行うのに適した形状、すなわち、汚物処理中に汚物が漏出しても汚物が汚物流し部１１０の中に自然に入っていくのに適した形状となっている。また、汚物流し部１１０の下部に設けられた排水部１１０ｂには図示しない封水手段が設けられ、異臭の発生が防止できるようになっている。
【００１６】
リップ部１１１は、汚物流し部１１０の溢れ面を形成している。ここでいう溢れ面とは、排水部が詰まった時などに、汚物流し部１１０の外に汚水が流れ出す面のことである。このような溢れ面が形成されていると、排水部が詰まるという異常事態が起きても、汚水は溢れ面から外に流れ出し他の部分が汚れることを抑制することができる。本実施の形態においては、汚物流し部１１０の上面形状が前面方向に下方傾斜しているため前面側にあるリップ部１１１の高さが上面では一番低くなり、リップ部１１１が溢れ面となる。そのため、排水部が詰まるという異常事態が起きても、汚水がパネルプレート１００側に流れ出ることがなく、装置本体２００の汚れを抑制することができる。
【００１７】
図５は、シャワー水栓１４０を説明するための模式斜視図である。  
図５に示すように、シャワー水栓１４０には、ホース１４２と、水栓取り付け部１４４と、蛇口１４５とが設けられている。蛇口１４５は、水栓取り付け部１４４からホース１４２とともに引き出して使用することができ、洗浄水を所望の位置や向きで流出させることができる。蛇口１４５が水栓取り付け部１４４に装着されている状態では、洗浄水が汚物流し部１１０内に落下しやすいように、蛇口１４５は若干前向きに傾斜して設置されている。そのため、蛇口１４５が水栓取り付け部１４４に装着されているままでもパウチ内の洗浄がしやすいようになっている。また、蛇口１４５を引き出すことで、オストメイトが服を脱いでストーマやストーマ周辺を洗浄したり、汚物流し部１１０内部を局所的に洗浄したりすることがしやすいようになっている。
【００１８】
温度・流量調整用レバー１３１は、水道水と電気温水器２７０（図１参照）により加熱された水道水（湯）との混合水栓となっている。シャワー水栓１４０から流出する洗浄水の温度は、温度・流量調整用レバー１３１を左右にひねる量により調整可能となっている。また、洗浄水の流量は、温度・流量調整用レバー１３１の引き起こし量により調整可能となっている。
【００１９】
装置本体２００の外壁部は、例えば、木材から成る合板を用いて形成させることができる。ただし、甲板と呼ばれる天板２０１には、荷物や着替え等が載せられるようにある程度強度の高い樹脂製の合板を用いることが好ましい。また、装置本体２００の左側面の上部にはフック２２１が設けられており、帽子や衣類等を引っ掛けられるようになっている。  次に、図１に戻ってオストメイト用汚物流しユニット１の背面側、すなわち装置本体２００の内部の説明をする。
【００２０】
図１に示すように、装置本体２００の内部には、パネルプレート１００を昇降させるための昇降手段２４５が設けられている。昇降手段２４５に内蔵された昇降ロッド２４５ａの先端にはパネルプレート取り付け部３００が設けられ、パネルプレート取り付け部３００を介して昇降ロッド２４５ａとパネルプレート１００とが連結されている。昇降手段２４５には、例えば、図示しない水圧シリンダが内蔵されており、これも図示しないピストンが水圧により押し上げられることで昇降ロッド２４５ａが押し上げられ、パネルプレート１００が上昇するようになっている。尚、水圧シリンダの水圧を減ずれば（排水すれば）、パネルプレート１００が自重により下降するようになっている。
【００２１】
図６は、昇降動作部分の構成を説明するための模式図である。  
前述したように、昇降手段２４５には図示しない水圧シリンダが内蔵されており、水圧シリンダには２ポート電磁弁２４７ａと２ポート電磁弁２４７ｂとが配管を介して接続されている。そのため、一次側水道水が２ポート電磁弁２４７ａを介して水圧シリンダに供給できるようになっており、また、水圧シリンダからの排水も２ポート電磁弁２４７ｂを介して行えるようになっている。パネルプレート１００を上昇させるための上昇操作スイッチ２６０と、パネルプレート１００を下降させるための下降操作スイッチ２６１は、コントローラ２６２に電気的に接続されており、また、２ポート電磁弁２４７ａと２ポート電磁弁２４７ｂもコントローラ２６２に電気的に接続されている。そのため、上昇操作スイッチ２６０または下降操作スイッチ２６１からの信号を受けたコントローラ２６２により２ポート電磁弁２４７ａまたは２ポート電磁弁２４７ｂが操作され、水圧シリンダへの給排水を制御して昇降手段２４５の昇降操作が行えるようになっている。
【００２２】
図７は、昇降操作を説明するための模式的なタイミングチャートである。  
昇降手段２４５の昇降操作は、正面側に設けられた上昇操作スイッチ２６０や下降操作スイッチ２６１により行う。図７に示すように、図示しない水圧シリンダは、上昇操作スイッチ２６０が押されている間だけ上昇し、下降操作スイッチ２６１を意識的に操作者が押している間だけ下降するようになっており、操作者による昇降動作中に汚物流し部１１０等による人体や物体の挟み込みが生じ難いようになっている。さらに、これらスイッチはタッチレススイッチであり、図示しない人体検知手段もしくは動作検知手段へ手をかざすだけで昇降を行えるようになっており衛生的である。タッチレススイッチで使用する人体検知手段もしくは動作検知手段としては赤外線、ミリ波、マイクロ波、静電容量式等を利用したものがあげられる。安全性に関しては、汚物流し部１１０の下方において汚物流し部１１０の下部、もしくは汚物流し部１１０の下方付近のパネルプレート１００に図示しないテープスイッチ等の物体検知手段が設けられ、汚物流し部１１０の下方に物体を検知している間は下降しないように制御的工夫がされている。また、上昇端と下降端は図示しない検出手段で検出してもよいし、タイマーなどにより時間で制御してもよい。
【００２３】
ここで、水圧シリンダは洗浄水として使用する一次側水道水の水圧をそのまま利用して昇降動作をさせるようにすることもできるが、これに限定されるわけではない。例えば、ポンプ等を用いて圧力を印加するようにしてもよいし、圧力調整弁を設けて圧力を調整するようにしてもよい。また、水圧シリンダに限られず、電動モータと減速機構を組み合わせたもの、エアシリンダ、油圧シリンダなどを用いるようにしてもよい。尚、昇降手段２４５の詳細は後述する。
【００２４】
また、汚物流し部１１０からの汚物を洗浄水とともに装置本体２００の外部に排出するための排水管４００が設けられている。排水管４００の一端は汚物流し部１１０の下部に設けられた排水部１１０ｂ（図２参照）に接続され、他端は外部排出口Ｄに接続されている。尚、外部排出口Ｄは、装置本体２００が設置される施設側に設けてもよい。
【００２５】
排水管４００は、少なくとも一部がいわゆる蛇腹タイプなどの可撓性を有する管で構成され、汚物流し部１１０が上昇端位置と下降端位置との間のいかなる位置にあっても、汚物を洗浄水とともに確実に排出できるようになっている。尚、排水管としては、昇降動作に追従できるものであればよく、図８に例示するような全体が蛇腹タイプの排水管４００ａ、図９に例示するような複数の蛇腹タイプの排水管４００ｂを直管からなる接続管などで連結したもの、テレスコープタイプのもの、テレスコープタイプと蛇腹タイプの複合型のものであってもよい。尚、全体が蛇腹タイプの排水管４００ａを用いるものとすれば可撓性に優れた昇降動作をさせることができる。複数の蛇腹タイプの排水管４００ｂを直管からなる接続管などで連結したものを用いるものとすれば、破損時には破損部分のみを交換すればたり、また、施設側の外部排出口Ｄの位置に合わせて排水管４００ｂの長さを調整する場合も簡単に対応することが可能となる。
【００２６】
装置本体２００の内部の排水管４００の上方には、電気温水器２７０が設けられている。電気温水器２７０は、冬場の身体洗浄という観点や汚物の洗浄性という観点からも設けられていた方が好ましい。電気温水器２７０は、昇降手段２４５の上方に設けることもできるが、昇降ロッド２４５ａの上昇により残余のスペースが少なくなること、少ないスペースでの配管や配線が煩雑となり、また、配管・配線の作業性も悪いことなどを考慮すれば、排水管４００（外部排出口Ｄ側）の上方に設けるようにすることが好ましい。この場合、パネルプレート１００の昇降時に排水管４００が動くので、これと干渉しない位置に電気温水器を設けるようにする。
【００２７】
また、排水管４００（外部排出口Ｄ側）の上方に電気温水器２７０を設けるようにすれば、空きスペースの有効活用となり、オストメイト用汚物流しユニット１の小型化にも寄与できる。  
また、装置本体２００に設けられる電気温水器２７０は、パネルプレート１００の昇降動作に追従できるように、可撓性を有するホースで温度・流量調整用レバー１３１と接続されている。
【００２８】
また、電気温水器２７０の膨張水の排出方法として、装置本体２００の内部に吐水口空間を設け、トラップを介して膨張水の排出管を排水管４００に接続させるようにすることもできる。そのようにすれば、汚物流し部１１０に膨張水の排出管を別途設ける必要がなくなり、洗浄用途の水栓との混同をも防止することができる。この場合、排水管４００（外部排出口Ｄ側）の上方に電気温水器２７０を設けるようにすれば、膨張水の配管経路が簡素化できる。
【００２９】
装置本体２００の内部の右上方部にはフラッシュバルブ２５０が設けられており、フラッシュバルブ２５０には、図示しないバキュームブレーカが設けられている。フラッシュバルブ２５０は、汚物流し部１１０に付着した汚物を一次側水道水の水圧を利用して一気に洗い流すためのものであり、洗浄ボタン２１１を押すことで、洗浄水が洗浄管１１２を介して汚物流し部１１０の内面上部全周に形成されたリム部の穴（図示せず）から汚物流し部１１０の内側面全体にわたって一定時間流出するようになっている。ここで、洗浄管１１２とフラッシュバルブ２５０（図１参照）とが可撓性を有するホース１１２ａ（図１参照）で接続されているため、パネルプレート１００が昇降してもホース１１２ａ（図１参照）が撓みその接続を維持することができるようになっている。このようにすれば、フラッシュバルブ２５０を装置本体２００内に固定することができるようになり、パネルプレート１００の昇降動作に関わらず一次側水道水の配管２５２を固定管（例えば、硬質樹脂製の管）とすることができ、常に水圧がかかる一次側水道水の配管２５２の信頼性を向上させることができる。
【００３０】
また、バキュームブレーカは、汚物流し部１１０が上昇端位置にあるときに汚物流し部１１０のリップ部１１１よりも上方に位置するように設けられている。そのため、汚水がバキュームブレーカの空気取り入れ口から侵入したり、上流側（水道水側）が汚水で汚されたりすることを確実に防ぐことができる。バキュームブレーカとしては、スイング弁を用いたものやダックビルを用いたものなどを採用することができる。
【００３１】
また、装置本体２００の内部には、一次側水道水の配管を温度・流量調整用レバー１３１などと接続するための可撓性を有するホース（図示せず）や、その他の配管・配線部材などが収容されている。
【００３２】
次に、昇降手段の詳細を説明する。  
図１０は、昇降手段を説明するための模式図である。  
図１０（ａ）、（ｂ）において、左側の図は昇降ロッドが下降した状態、右側の図は昇降ロッドが上昇した状態を示している。
【００３３】
図１０（ａ）は、水圧シリンダが内蔵されている昇降手段を説明するための模式図であり、図１０（ｂ）は、図１０（ａ）におけるＡ−Ａ方向から見た断面を説明するための模式断面図である。また、図１０（ｃ）は、電動モータと減速機構などが内蔵されている昇降手段を説明するための模式図である。
【００３４】
図１０（ａ）に示す昇降手段２４５には、図示しない水圧シリンダが内蔵されており、加圧された水が水圧シリンダに供給されると図示しないピストンが押し上げられ、それに連結されている昇降ロッド２４５ａが押し上げられるようになっている。昇降ロッド２４５ａの上面には、例えば、ねじ穴のような固定手段が設けられ、パネルプレート取り付け部３００を取り付けられるようになっている。
【００３５】
図１０（ｂ）に示すように、昇降ロッド２４５ａの断面形状は矩形であり、昇降ロッド２４５ａが挿入されている穴部２４５ｂの断面形状もこれよりわずかに寸法が大きい矩形をしている。そのため、穴部２４５ｂがガイドの役割を果たし、本実施の形態においては、ガイド手段と昇降手段２４５とが一体化されていることになる。
【００３６】
このガイド手段（穴部２４５ｂ）により、昇降ロッド２４５ａの回転方向と倒れ方向の動きが抑えられ、パネルプレート１００をほぼ直線的に昇降させることができるようになる。尚、昇降ロッド２４５ａの断面形状は矩形に限られるものではなく、円形以外の形状、例えば、三角形や六角形などの多角形や楕円などであってもよい。また、基礎となる断面形状が円形であっても、その外周面に延在する凸部や凹部を設けて、ガイドの役割を果たさせるようにしたものであってもよい。
【００３７】
また、例えば、パネルプレート１００の幅方向の両端面部付近などに補助的にガイドを設けるようにすることもできる。本実施の形態によれば、穴部２４５ｂの有するガイド作用により、この端面部付近のガイドにおける、いわゆる噛み込みを抑制することができ円滑な昇降動作をさせることができる。
【００３８】
図１０（ｃ）に示す昇降手段２４６には、図示しない電動モータと減速機構などが内蔵されており、電動モータの回転運動を直線運動に変換して昇降ロッド２４６ａを押し上げるようになっている。昇降ロッド２４６ａの上面には、例えば、ねじ穴のような固定手段が設けられ、パネルプレート取り付け部３００を取り付けられるようになっている。昇降ロッド２４６ａの断面形状は円形であり、昇降ロッド２４６ａが挿入されている昇降手段２４６の穴部の断面形状もこれよりわずかに寸法が大きい円形をしている。そのため、穴部が昇降ロッド２４６ａの倒れを抑制するガイドの役割を果たし、本実施の形態においては、昇降ロッド２４６ａの倒れを抑制するガイド手段と昇降手段２４５とが一体化されていることになる。
【００３９】
このガイド手段（穴部）により、昇降ロッド２４６ａの倒れ方向の動きが抑えられ、パネルプレート１００をほぼ直線的に昇降させることができるようになる。ただし、昇降方向に対して平行な軸を中心とする昇降ロッド２４６ａの回転方向の動きを抑えるために、回転方向のガイド（いわゆる回り止め）を別途設ける必要がある。この回転方向のガイドは昇降手段２４６の付近に設けることもできるが、例えば、パネルプレート１００の幅方向の両端面部付近に設けるようにすることもできる。ただし、後述するように、汚物流し部１１０の幅方向の中心軸に合わせるようにして昇降手段２４６を設けることができないような場合には、昇降手段２４６の付近に回転方向のガイドを設けるようにすることが好ましい。尚、前述したもののように、昇降ロッド２４６ａの断面形状を矩形などとすれば回転方向のガイドを別途設ける必要はなくなる。
【００４０】
また、昇降手段２４５の穴部２４５ｂ、昇降手段２４６の穴部の他にも別途ガイド手段を設けるようにすることもできる。このような場合においても、穴部２４５ｂ・穴部の有するガイド作用により、別途設けたガイド部分における、いわゆる噛み込みを抑制することができ円滑な昇降動作をさせることができる。
【００４１】
次に、昇降手段と排水管の配置について説明をする。  
尚、説明の便宜上、前述の昇降手段２４５を例にとり説明をすることにする。  
オストメイト用汚物流しユニット１は、駅のトイレや街の公衆トイレなどのパブリックスペースに設置される関係上、省スペースが重要な要件となる。
【００４２】
ここで、オストメイトがパウチを装着する高さには大きな個人差があるため、汚物流し部１１０の昇降寸法も通常の高さ調整式の便器などと比べてかなり大きなものとなる。そして、このような汚物流し部１１０の昇降寸法に対応させるため、昇降手段２４５の昇降ストロークが大きくなる一方、昇降手段２４５自体の寸法も大きくなる。また、このような汚物流し部１１０の昇降寸法に対応させるため、排水管４００の長さや昇降時の移動範囲も大きなものとなる。その結果、昇降手段２４５と排水管４００とをどのように収納させるかによってオストメイト用汚物流しユニット１の外形寸法が大きく変わることになる。
【００４３】
ここで、昇降対象物を円滑に昇降させるためには、昇降対象物の重心に向かって昇降手段２４５からの力を作用させることが好ましい。しかし実際には、種々の制約により重心に向かう力を作用させることは難しく、重心になるべく近いところに力を作用させることになる。図１のオストメイト用汚物流しユニット１でいえば、最も重量の重い汚物流し部１１０の幅方向の中心軸Ｃ１と、昇降手段２４５の中心軸Ｃ２とが重なる位置に昇降手段２４５を配置することが好ましいことになる。
【００４４】
しかしながら、汚物流し部１１０の幅方向の中心位置には排水管４００が設けられている。そのため、少なくとも汚物流し部１１０の幅方向の中心軸Ｃ１の下方部分には昇降手段２４５を設けることはできない。この場合、汚物流し部１１０の幅方向の中心軸Ｃ１の上方部分に昇降手段２４５を設けるようにすることもできるが、その場合は、オストメイト用汚物流しユニット１の高さが高くなりすぎてしまう。また、汚物流し部１１０の幅方向の中心軸Ｃ１から等距離の位置にそれぞれ昇降手段２４５を設けるようにすることもできるが、その場合は、オストメイト用汚物流しユニット１の幅寸法が大きくなるのみならず、機構が複雑となってしまう。
【００４５】
また、汚物流し部１１０が下降端にあるときには、下方のスペースが少なくなりすぎるので排水管４００を汚物流し部１１０の鉛直下方に延在させることは困難である。また、オストメイト用汚物流しユニット１の背面方向（奥行き方向）に向けて排水管４００を延在させるようにすれば、オストメイト用汚物流しユニット１の奥行き寸法が大きくなってしまう。
【００４６】
本発明者は検討の結果、以下のようにすれば、昇降手段２４５と排水管４００とを効率よく収納することができ、かつ、昇降動作も円滑に行えるとの知見を得た。
【００４７】
図１に示すように、まず、汚物流し部１１０の幅方向の中心軸Ｃ１から左右方向（汚物流し部１１０の幅方向）のいずれかにオフセットした位置（図１では右側にオフセットさせた）に外部排出口Ｄを設けるようにする。この際、外部排出口Ｄは、装置本体２００が設置される施設側に設けてもよい。このようにすれば、昇降動作時の排水管４００の伸縮や撓みを少なくすることができるので、排水管４００にかかる負担を最小限とすることができる。また、オストメイト用汚物流しユニット１の幅方向のスペースを有効に使えることができるので、オストメイト用汚物流しユニット１の外形寸法を最小限とすることができる。尚、汚物流し部１１０が下降端にあるときには、排水管４００は、外部排出口Ｄに向けて下がるように傾斜していることが好ましい。汚物の排出を容易にするとともに、汚物が残留するのを抑制するためである。
【００４８】
次に、排水管４００のオフセット方向と反対方向にオフセットさせて（図１では左側にオフセットさせた）昇降手段２４５を設けるようにする。この際、汚物流し部１１０の幅方向の中心軸Ｃ１になるべく近く、かつ、昇降動作時に排水管４００が動いても当たらない位置に昇降手段２４５を設けるようにする。この場合、昇降をガイドする部分でいわゆる噛み込みが起こらないように、昇降手段の中心軸Ｃ２からなるべく近い位置で、かつ、中心軸Ｃ２に対して対称にガイドを設けるようにすることが好ましい。
【００４９】
ここで、前述したように、昇降手段２４５においては穴部２４５ｂがガイドの役割を果たす。そのため、昇降手段２４５の中心軸Ｃ２のすぐ近くで、かつ、中心軸Ｃ２に対して対称に（同軸に）ガイドを設けたことになり、噛み込みのない円滑な昇降動作を行うことができる。また、このような構成は、省スペースや機構の簡素化の観点からも好ましい。そして、例えば、パネルプレート１００の幅方向の両端面部付近に補助的にガイドを設けるような場合においても、この端面部付近のガイドにおけるいわゆる噛み込みを抑制することもできる。尚、昇降手段２４６においても同様の構成を取ることは可能である。
【００５０】
次に、オストメイト用汚物流しユニット１の作用について説明をする。オストメイト用汚物流しユニット１は駅のトイレや街の公衆トイレなどのパブリックスペースに設置され、不特定のオストメイトに利用されるものである。
【００５１】
本実施の形態に係るオストメイト用汚物流しユニットにおいては、前述した排水管と昇降手段の配置により、比較的狭いスペースしか確保できないような場所にも設置が可能となる。  
このオストメイト用汚物流しユニット１をオストメイトが使用する際には、ジャケットなどの衣類をフック２２１に引っ掛けるとともに、荷物や着替えをユニット上面の天板２０１上に載せておくことができる。
【００５２】
まず、昇降手段２４５により汚物流し部１１０を昇降させて、リップ部１１１の高さが適切となるように汚物流し部１１０の高さを調整する。例えば、オストメイトのストーマのすぐ下にリップ部１１１がくるように汚物流し部１１０の高さを調整する。  
尚、汚物流し部１１０の高さの調整は、図示しない操作スイッチなどを操作することにより行う。
【００５３】
本実施の形態に係るオストメイト用汚物流しユニットにおいては、前述した昇降手段の作用により円滑な昇降を行うことができる。  
オストメイトは、汚物流し部１１０を最適な高さまで昇降させた後に、身体に装着していたパウチを外して、図５に示したようにシャワー水栓１４０からの洗浄水でこのパウチの内部を洗浄したり、ストーマ及びその周辺を洗浄したりする。この際、半固定鏡１５１を用いてストーマ及びその周辺を見ながら洗浄を行うことができるし、冬場などにおいては、シャワー水栓１４０から所望の温度の洗浄水を流すこともできる。また、水石けん用タンク１５０から水石けんを出して、手やパウチなどの洗浄を行うこともできるので、衛生上の観点からも好ましい。
【００５４】
また、前述したように、蛇口１４５を引き出さない状態での吐水方向が、汚物流し部１１０の内壁部に向かうようになっているため、汚物流し部１１０の内壁部が常に洗い流され衛生上の観点からも好ましい。
【００５５】
こうした汚物処理動作を行っている最中に、例えば、汚物がストーマから勢い良く飛び出したり、パウチ内やストーマ廻りの汚物の量、状態、洗い方などによっては汚物が周囲に飛び散ったりして、不本意にも周辺を汚してしまうことがあるが、シャワー水栓１４０は汚物流し部１１０より上方に配置されているので、このような場合であっても汚物がシャワー水栓１４０に付着することはなく、衛生性を確保することができる。
【００５６】
次に、シャワー水栓１４０を用いてストーマ及びその周辺を洗った後、トイレットペーパーなどでストーマやその周辺に付いた洗浄水を拭き取り、新しいパウチをストーマに装着する。  
次に、洗浄水をシャワー水栓１４０から流出させると同時に、または、その後に、洗浄ボタン２１１を押してフラッシュバルブ２５０を作動させて汚物流し部１１０の内壁面を洗い流すとともに、排水管４００を介して汚物をユニットの外部に一気に排出させる。
【００５７】
尚、これら一連の作業において必要となるもの、例えば、温度・流量調整用レバー１３１、シャワー水栓１４０、水石けん用タンク１５０、半固定鏡１５１、洗浄ボタン２１１、トイレットペーパーホルダ２１２なども汚物流し部１１０と共に昇降するため、オストメイトにとって使い易いシステムとなっている。
【００５８】
以上、具体例を参照しつつ、本発明の実施の形態について説明をした。しかし、本発明はこれらの具体例に限定されるものではない。  
前述の具体例に関して、当業者が適宜設計変更を加えたものも、本発明の特徴を備えている限り、本発明の範囲に包含される。
【００５９】
例えば、オストメイト用汚物流しユニット１、パネルプレート１００、汚物流し部１１０、給水口１１０ａ、排水部１１０ｂ、リップ部１１１、洗浄管１１２、ホース１１２ａ、温度・流量調整用レバー１３１、シャワー水栓１４０、棚１４１、ホース１４２、水栓取り付け部１４４、蛇口１４５、水石けん用タンク１５０、半固定鏡１５１、装置本体２００、天板２０１、洗浄ボタン２１１、トイレットペーパーホルダ２１２、フック２２１、昇降手段２４５、昇降ロッド２４５ａ、穴部２４５ｂ、２ポート電磁弁２４７ａ、２ポート電磁弁２４７ｂ、フラッシュバルブ２５０、配管２５２、昇降手段２４６、昇降ロッド２４６ａ、上昇操作スイッチ２６０、下降操作スイッチ２６１、コントローラ２６２、電気温水器２７０、排水管４００、排水管４００ａなどの形状、寸法、材質、配置などは、例示したものに限定されるわけではなく適宜変更することができる。具体的には、例えば、汚物流し部１１０の材質は陶製の代わりに硬質樹脂等であってもよい。
【００６０】
また、外部排出口Ｄの位置も例示したものに限定されるわけではなくオストメイト用汚物流しユニットが設置される施設に合わせて適宜変更することができる。  
また、外部排出口Ｄと昇降手段との相対的な位置関係も例示したものに限定されるわけではなく、例えば、外部排出口Ｄを左側、昇降手段を右側に設けるようにしてもよい。  
また、パネルプレート１００は厳密な意味で垂直方向に昇降する必要はなく、垂直に近い斜め方向に昇降してもよい。
【００６１】
また、オストメイト用汚物流しユニット１にシャワー水栓１４０以外の固定水栓を設けるようにしてもよい。  
また、前述した各具体例が備える各要素は、可能な限りにおいて組み合わせることができ、これらを組み合わせたものも本発明の特徴を含む限り本発明の範囲に包含される。
【図面の簡単な説明】
【００６２】
【図１】本発明の実施の形態に係るオストメイト用汚物流しユニットの背面側を説明するための模式図である。
【図２】本発明の実施の形態に係るオストメイト用汚物流しユニットの正面側を説明するための模式斜視図である。
【図３】本発明の実施の形態に係るオストメイト用汚物流しユニットの正面側を説明するための模式斜視図である。
【図４】本実施形態に係るオストメイト用汚物流しユニットを側面からみた模式図である。
【図５】シャワー水栓を説明するための模式斜視図である。
【図６】昇降動作部分の構成を説明するための模式図である。
【図７】昇降操作を説明するための模式的なタイミングチャートである。
【図８】全体が蛇腹タイプの排水管を例示する模式図である。
【図９】複数の蛇腹タイプの排水管を連結した排水管を例示するための模式斜視図である。
【図１０】昇降手段を説明するための模式図である。
【符号の説明】
【００６３】
１００ パネルプレート、１１０ 汚物流し部、１１０ａ 給水口、１１０ｂ 排水部、１１１ リップ部、１１２ 洗浄管、１１２ａ ホース、１３１ 流量調整用レバー、１４０ シャワー水栓、１４１ 棚、１４２ ホース、１４４ 水洗取り付け部、１４５ 蛇口、１５０ 用タンク、１５１ 半固定鏡、２００ 装置本体、２０１ 天板、２１１ 洗浄ボタン、２１２ トイレットペーパーホルダ、２２１ フック、２４５ 昇降手段、２４５ａ 昇降ロッド、２４５ｂ 穴部、２４６ 昇降手段、２４６ａ 昇降ロッド、２５０ フラッシュバルブ、２５２ 配管、２７０ 電気温水器、３００ 部、４００ 排水管、４００ａ 排水管、Ｃ１、Ｃ２ 中心軸、Ｄ 外部排出口
【図１】
2008111230.tif 000003
【図２】
2008111230.tif 000004
【図３】
2008111230.tif 000005
【図４】
2008111230.tif 000006
【図５】
2008111230.tif 000007
【図６】
2008111230.tif 000008
【図７】
2008111230.tif 000009
【図８】
2008111230.tif 000010
【図９】
2008111230.tif 000011
【図１０】
2008111230.tif 000012